(57)【要約】  手動または自動で操作可能な、ねじ式固定具を挿入するための工具１は、細長いハンドル１２とシャフト１０とを備えている。シャフト１０は、先端１４がハンドルの前端から延び、末端１６がハンドルの後端に存在する状態で、ハンドルの両端間に延びる。シャフトの後端は、シャフトの中心線にそって延びる縦穴２４を有する。縦穴は電動ドリルのチャック内で嵌合するタイプの標準ドリルビットを受けるように形成される。縦穴２４の深さは、電動ドリルによって工具に加えられるトルクを吸収するように、ドリルビットに接触した縦穴内部壁が十分な表面領域を有するような深さまでドリルビットを縦穴に入れることができる程度になっている。シャフトの先端１４は、固定具の１つに付着するように形成される。または先端１４は、工具と共に使用できる多数のねじビットのうちの１つを受ける縦穴２７を形成される。ねじビットの頭部形状は、挿入されるべき固定具の頭部形状と一致する。挿入に適した固定具は、ねじ、ボルト、ナット、ソケット付き器具を含む。
2006528087.tif 000002
【特許請求の範囲】
【請求項１】
手動または自動で操作可能ない工具にして、ねじ式固定具を挿入するための工具（１）であって、
前端（１７）および後端（１８）を有する細長いハンドル（１２）と、
先端（１４）および末端（１６）を有するシャフト（１０）と、を備え、
前記シャフトは、前記先端（１４）が前記ハンドルの前端（１７）から延びた位置に存在し且つ前記末端（１６）が前記ハンドルの後端（１８）に接近して存在する状態で、前記ハンドルの両端間に延びており、
前記シャフトの前記末端（１６）は、前記シャフト（１０）の中心線に沿って延びる縦穴（２４）を有し、該縦穴は、電動ドリルのチャック内で嵌合するタイプのドリルビットを受けるように形状づけられており、前記縦穴（２４）の深さおよび壁厚は、前記ドリルビットが前記縦穴内にある深さまで入ったときに前記ドリルビットに接触する縦穴内部壁の表面領域が、前記電動ドリルによって前記工具（１）に加えられるトルクを吸収することができる程度となるようになされている、工具（１）。
【請求項２】
前記シャフトの先端（１４）が、前記ねじ式固定具の１つの頭部に付着するように形状づけられている、請求項１に記載の工具（１）。
【請求項３】
先端および後端を有するねじ案内（２６）をさらに備え、前記ねじ案内は、前記ハンドル前端（１７）から延びる前記シャフト（１０）の長さの一部を包囲するように形成され、前記ねじ案内は、前記シャフト（１０）が前記ねじ案内（２６）内で回転可能となり、且つ、前記ねじ案内が第１位置と第２位置との間で前記シャフト（１０）上を滑動可能となるようにして、装着され、前記ねじ案内（２６）が前記第１位置にあるときは、挿入されるべきねじ式固定具が適所にねじ込まれつつある間、前記ねじ案内の先端が前記固定具を適所に保持するように前記固定具の周りに嵌合し、前記ねじ案内（２６）が前記第２位置にあるときは、前記ねじ案内の先端が前記シャフトの先端（１４）を十分に露出するように前記ハンドルの前端（１７）に向かって後退される、請求項２に記載の工具（１）。
【請求項４】
前記縦穴（２４）の一部が、該縦穴（２４）に挿入されるドリルビットを保持する際に該保持を支援するように磁化されている、請求項３に記載の工具（１）。
【請求項５】
前記シャフトの先端（１４）が、該シャフトの先端（１４）に位置づけられる固定具を保持する際に該保持を支援するように磁化されている、請求項４に記載の工具（１）。
【請求項６】
前記工具と共に使用するのに適したねじ式固定具が、ねじ、ボルト、ナット、ソケット付き器具からなるグループから選択される、請求項５に記載の工具（１）。
【請求項７】
前記シャフトの先端（１４）は縦穴（２７）を有し、該縦穴は、ねじ式固定具を挿入するために前記工具（１）と共に使用可能な複数のねじビットの何れかを受けるように形状づけられ、前記ねじ式固定具は、ねじビットの頭部形状に整合した頭部形状であって、前記ねじ頭部のための種々の設計から選択される頭部形状を有する、請求項１に記載の工具（１）。
【請求項８】
先端および後端を有するねじ案内（２６）をさらに備え、前記ねじ案内は、前記ハンドル前端（１７）から延びる前記シャフト（１０）の長さの一部を包囲するように形成されており、該ねじ案内は、前記シャフト（１０）が該ねじ案内（２６）内で回転可能となり、且つ、該ねじ案内が第１位置と第２位置との間で前記シャフト上を滑動可能となるように装着され、前記ねじ案内（２６）が前記第１位置にあるときは、挿入されるべきねじ式固定具が適所にねじ込まれつつある間に、前記ねじ案内の先端が前記固定具を適所に保持するように前記固定具の周りに嵌合し、前記ねじ案内（２６）が前記第２位置にあるときは、前記ねじ案内の先端が前記シャフトの先端（１４）を十分に露出するように前記ハンドル前端（１７）に向かって後退される、請求項７に記載の工具（１）。
【請求項９】
前記シャフト後端の縦穴（２４）の一部が、該シャフト後端の縦穴に置かれるドリルビットを保持する際に該保持を支援するように磁化されている、請求項８に記載の工具（１）。
【請求項１０】
前記シャフトの先端の縦穴（２４）の一部が、該シャフトの先端の縦穴に置かれるドリルビットを保持する際に該保持を支援するように磁化されている、請求項９に記載の工具（１）。
【請求項１１】
前記ハンドルの前端（１７）は、前記シャフトの先端の縦穴（２７）に挿入するのに適した種類のドリルビットを収納するように形成されたスロット（１５）を有する、請求項１０に記載の工具（１）。
【請求項１２】
前記工具と共に使用するのに適したねじ式固定具が、ねじ、ボルト、ナット、ソケット付き器具からなるグループから選択される、請求項１１に記載の工具（１）。
【請求項１３】
手動または自動で操作可能な工具にして、ねじ式固定具を挿入するための工具（１）において、
前端（１７）および後端（１８）を有する細長いハンドル（１２）と、
先端（１４）および末端（１６）を有するシャフト（１０）と、ならびに
前記ハンドルの後端（１８）に装着された細長いインサート（２８）とを備え、
前記ハンドル（１２）は、前記末端（１６）を含む前記シャフト（１０）の一部に装着されており、前記ハンドル（１２）は、前記先端（１４）付近の前記シャフトの一部を前記ハンドルの前記前端（１７）から延びるようにさせており、
前記インサートは、前記シャフト（１０）の中心線に一致する縦軸を有し、該インサートは該インサートの中心線にそって延びる縦穴（２４）を有し、該縦穴（２４）は電動ドリルのチャック内で嵌合するタイプのドリルビットを受けるように形成され、前記縦穴（２４）の深さおよび壁厚は、前ドリルビットを記縦穴（２４）のある深さまで入れたときに前記ドリルビットに接触する縦穴内部壁の表面領域が、前記電動ドリルによって前記工具（１）に加えられるトルクを吸収することができるようになされている、工具（１）。
【請求項１４】
前記シャフトの先端（１４）は、前記ねじ式固定具の１つの頭部に付着するように形状づけられた、請求項１３に記載の工具（１）。
【請求項１５】
前記工具と共に使用するのに適したねじ式固定具が、ねじ、ボルト、ナット、ソケット付き器具からなるグループから選択される、請求項１４に記載の工具（１）。
【請求項１６】
先端および後端を有するねじ案内（２６）をさらに備え、前記ねじ案内は、前記ハンドル前端（１７）から延びる前記シャフト（１０）の長さの一部を包囲するように形成され、前記ねじ案内は、前記シャフト（１０）が前記ねじ案内（２６）内で回転可能となり、且つ、前記ねじ案内が第１位置と第２位置との間で前記シャフト上を滑動可能となるようにして、装着され、前記ねじ案内（２６）が前記第１位置にあるときは、挿入されるべきねじ式固定具が適所にねじ込まれつつある間、前記ねじ案内の先端が前記固定具を適所に保持するように前記固定具の周りに嵌合し、前記ねじ案内（２６）が前記第２位置にあるときは、前記ねじ案内の先端が前記シャフトの先端（１４）を十分に露出するように前記ハンドルの前端（１７）に向かって後退される、請求項１５に記載の工具（１）。
【請求項１７】
前記インサート（２８）の一部が、前記インサート縦穴に挿入されるドリルビットを保持する際に該保持を支援するように磁化されている、請求項１６に記載の工具（１）。
【請求項１８】
前記シャフトの先端（１４）の一部が、該シャフトの先端に位置づけられる固定具を保持する際に該保持を支援するように磁化されている、請求項１７に記載の工具（１）。
【請求項１９】
手動または自動で操作可能な工具にして、ねじ式固定具を挿入するための工具（１）であって、
前端（１７）および後端（１８）を有する細長いハンドル（１２）と、
先端（１４）および末端（１６）を有するシャフト（１０）とを備え、
前記シャフト（１０）は、前記先端（１４）が前記ハンドルの前端（１７）から延びた位置に存在し且つ前記末端（１６）が前記ハンドルの後端（１８）から延びた位置に存在する状態で、前記ハンドルの両端間に延びており、
前記シャフト末端（１６）は、該末端が電動ドリルのチャック内で嵌合するように形状づけられている、工具（１）。
【請求項２０】
前記シャフトの先端（１４）が、前記ねじ式固定具の１つの頭部に付着するように形成されている、請求項１９に記載の工具（１）。
【請求項２１】
前記工具と共に使用するのに適したねじ式固定具が、ねじ、ボルト、ナット、ソケット付き器具からなるグループから選択される、請求項２０に記載の工具（１）。
【請求項２２】
先端および後端を有するねじ案内（２６）をさらに備え、前記ねじ案内は、前記ハンドル前端（１７）から延びる前記シャフト（１０）の長さの一部を包囲するように形成され、前記ねじ案内は、前記シャフト（１０）が前記ねじ案内（２６）内で回転可能となり、且つ、前記ねじ案内が第１位置と第２位置との間で前記シャフト（１０）上を滑動可能なようにして、装着され、前記ねじ案内（２６）が前記第１位置にあるときは、挿入されるべきねじ式固定具が適所にねじ込まれつつある間、前記ねじ案内の先端が前記固定具を適所に保持するように前記固定具の周りに嵌合し、前記ねじ案内（２６）が前記第２位置にあるときは、前記ねじ案内先端が前記シャフトの先端（１４）を十分に露出するように前記ハンドル前端（１７）に向かって後退される、請求項２１に記載の工具（１）。
【請求項２３】
前記シャフトの先端（１４）の一部が、該シャフトの先端に位置づけられる固定具を保持する際に該保持を支援するように磁化されている、請求項２２に記載の工具（１）。
【請求項２４】
手動または自動で操作可能な工具にして、ねじ式固定具を挿入する工具（１）であって、
前端（１７）および後端（１８）を有する細長いハンドル（１２）と、
先端（１４）および末端（１６）を有するシャフト（１０）と、を備え、
ここで、前記ハンドル（１２）が前記シャフト（１０）の一部に装着されており、該シャフトの一部が前記末端（１６）を含み、且つ、前記先端（１４）付近の前記シャフトの一部が前記ハンドルの前端（１７）から延びるようになされており、
前記ハンドルの後端（１８）に装着された細長いインサート（３２）をさらに備え、
ここで、該インサートは、前記シャフト（１０）の中心線に一致する縦軸、外端、内端を有し、前記インサートの前記外端は、前記ハンドルの後端（１８）付近に存在し、前記インサート（３２）は前記インサート外端から前記インサートの中心線の一部に沿って延びる縦穴（３３）を有しており、
前記縦穴（３３）内に滑動自在に装着されたアダプタ（３４）をさらに備え、
ここで、該アダプタは内方端および外方端を有し、該外方端は該外方端が電動ドリルのチャック内に嵌合するように形成されており、
前記縦穴（３３）の底に装着されたスプリング機構（３６）をさらに備え、
ここで、前記スプリング機構は、その前端が前記アダプタ（３４）の後端に接触した状態で前端および後端を有し、前記スプリング機構は、前記アダプタの外方端が前記ハンドル後端に接近している第１位置と、前記アダプタ（３４）の外方端が電動ドリルのチャックによって把持されうるように前記外方端が前記縦穴（３３）から延びている第２の位置との間で前記アダプタ（３４）を移動させるようになされている、
工具（１）。
【請求項２５】
前記シャフトの先端（１４）は、前記ねじ式固定具の１つの頭部に付着するように形成された、請求項２４に記載の工具（１）。
【請求項２６】
前記工具と共に使用するのに適したねじ式固定具が、ねじ、ボルト、ナット、ソケット付き器具からなるグループから選択される、請求項２５に記載の工具（１）。
【請求項２７】
先端および後端を有するねじ案内（２６）をさらに備え、前記ねじ案内は、前記ハンドル前端（１７）から延びる前記シャフト（１０）の長さの一部を包囲するように形成され、前記ねじ案内は、前記シャフト（１０）が前記ねじ案内（２６）内で回転可能となり、前記ねじ案内が第１位置と第２位置との間で前記シャフト（１０）上を滑動可能となるようにして、装着され、前記ねじ案内（２６）が前記第１位置にあるときは、挿入されるべきねじ式固定具が適所にねじ込まれつつある間、前記ねじ案内の先端が前記固定具を適所に保持するように前記固定具の周りに嵌合し、前記ねじ案内（２６）が前記第２位置にあるときは、前記ねじ案内の先端が前記シャフトの先端（１４）を十分に露出するように前記ハンドル前端（１７）に向かって後退される、請求項２６に記載の工具（１）。
【請求項２８】
前記シャフトの先端（１４）の一部が、該シャフトの先端に置かれる固定具を保持する際に該保持を支援するように磁化されている、請求項２７に記載の工具（１）。
【請求項２９】
手動または自動で操作可能な工具にして、ねじ式固定具を挿入するための工具（１）であって、
前端および後端を有する細長いハンドル（４４）と、
前記ハンドルの軸に沿って貫通して延びるシャフト（４２）とを備え、
前記シャフト（４２）は前端（４６）および後端（４８）を有し、前記前端は前記ハンドル前端に接近して存在しかつ前記シャフト後端は前記ハンドル後端付近に存在し、
前記シャフト（４２）は前記シャフト後端から該シャフトの中心線の一部に沿って延びる後縦穴（５２）を有し、該後縦穴（５２）は電動ドリルのチャック内で嵌合するタイプのドリルビットを受けるように形成され、前記後縦穴（５２）の深さおよび壁厚は、前記ドリルビットが前記縦穴内にある深さまで入ったときに前記ドリルビットに接触する縦穴内部壁の表面領域が、前記電動ドリルによって前記工具（１）に加えられるトルクを吸収することができる程度となるようになっており、
前記シャフト（４２）は前記シャフト前端から該シャフトの中心線の一部に沿って延びる前縦穴（５０）を有し、該前縦穴（５０）は特別タイプの固定具を駆動するように用いられるねじ回し頭部を有するタイプのシャフト延長部（５４）を受けるように形成された、
工具（１）。
【請求項３０】
後端（５６）および前端（５８）を有するシャフト延長部（５４）をさらに備え、前記後端は、前記シャフト前縦穴（５０）内に滑動自在に嵌合するように形成され、前記前端（５８）は、前記固定具が配置されることが望まれる位置へ該固定具を駆動するように前記ねじ式固定具の１つの頭部と嵌合するように形成された、請求項２９に記載の工具（１）。
【請求項３１】
前記シャフト延長部前端（５８）の一部が、該シャフト延長部前端に置かれる固定具を保持する際に該保持を支援するように磁化されている、請求項３０に記載の工具（１）。
【請求項３２】
手動または自動で操作可能な工具にして、ねじ式固定具を挿入するための工具（１）であって、
前端および後端を有する細長いハンドル（７２）と、
前記ハンドルの後端に装着された第１シャフト（６８）と、を備え、
ここで、該第１シャフトは前記ハンドルの中心線に一致する縦軸を有し、該第１シャフトは後端および接続端（７３）を有し、該第１シャフト後端は前記ハンドルの後端に接近して存在し、該第１シャフトは前記シャフト後端から前記シャフトの中心線に沿って延びる縦穴（７６）を有し、該縦穴は電動ドリルのチャック内で嵌合するタイプの標準ドリルビットを受けるように形成され、前記縦穴の深さおよび壁厚は、前記ドリルビットが前記縦穴にある深さまで入ったときに前記ドリルビットに接触する縦穴内部壁の表面領域が、前記電動ドリルによって前記工具に加えられるトルクを吸収することができる程度となるようになっており、
先端（７４）および接続端（７５）を有する第２シャフトをさらに備え、
ここで、該第２シャフトは前記先端（７４）が前記ハンドルの前端から延びるように前記ハンドル（７２）の中心線に沿って回転自在に装着され、該第２シャフト接続端（７５）は前記第１シャフトの接続端（７３）付近にあり、
前記両シャフトの接続端（７３、７５）を接続するクラッチ手段（７０）をさらに備え、
ここで、前記クラッチ手段は第１位置と第２位置との間で動作し、前記第１位置にあるとき、前記クラッチ手段は前記第１シャフトおよび前記第２シャフトを共に回転させ、前記第２位置にあるとき、前記クラッチ手段は前記第１シャフトおよび前記第２シャフトを逆方向に回転させるようになされている、
工具（１）。
【請求項３３】
前記第２シャフトの先端（７４）は、前記ねじ式固定具の１つの頭部に付着するように形成された、請求項３２に記載の工具（１）。
【請求項３４】
前記工具と共に使用するのに適したねじ式固定具が、ねじ、ボルト、ナット、ソケット付き器具からなるグループから選択される、請求項３３に記載の工具（１）。
【請求項３５】
先端および後端を有するねじ案内（２６）をさらに備え、前記ねじ案内は、前記ハンドル前端から延びる前記第２シャフト（６６）の長さの一部を包囲するように形成され、前記なじ案内は、前記第２シャフト（６６）が前記ねじ案内（２６）内で回転可能となり、且つ、前記ねじ案内が第１位置と第２位置との間で前記第２シャフト（６６）上を滑動可能とるようにして、装着され、前記ねじ案内（２６）が前記第１位置にあるときは、挿入されるべきねじ式固定具が適所にねじ込まれつつある間、前記ねじ案内の先端が前記固定具を適所に保持するように前記固定具の周りに嵌合し、前記ねじ案内が前記第２位置にあるときは、前記ねじ案内の先端が前記シャフトの先端（７４）を十分に露出するように前記ハンドル前端に向かって後退される、請求項３４に記載の工具（１）。
【請求項３６】
前記縦穴（７６）の一部が該縦穴に挿入されるドリルビットを保持する際に該保持を支援するように磁化されている、請求項３５に記載の工具（１）。
【請求項３７】
前記第２シャフトの先端（７４）の一部が、該第２シャフトの先端に置かれる固定具を保持する際に該保持を支援するように磁化されている、請求項３６に記載の工具（１）。
【請求項３８】
前記第２シャフトの先端（７４）は縦穴（７８）を有し、該縦穴はねじ式固定具を挿入するように前記工具（１）と共に使用されてもよい複数のねじビットの何れかを受けるように形成され、前記ねじ式固定具は、ねじビットの頭部形状に整合した頭部形状にして、ねじ頭部のための様々な設計の中から選択される頭部形状を有する、請求項３２に記載の工具（１）。
【請求項３９】
前記工具と共に使用するのに適したねじ式固定具が、ねじ、ボルト、ナット、ソケット付き器具からなるグループから選択される、請求項３８に記載の工具（１）。
【請求項４０】
先端および後端を有するねじ案内（２６）をさらに備え、前記ねじ案内は、前記ハンドル前端から延びる前記第２シャフト（６６）の長さの一部を包囲するように形成され、前記ねじ案内は、前記第２シャフト（６６）が前記ねじ案内（２６）内で回転可能となり、且つ、前記ねじ案内が第１位置と第２位置との間で前記第２シャフト（６６）上を滑動可能となるようにして、装着され、前記ねじ案内（２６）が前記第１位置にあるときは、前記固定具が適所にねじ込まれつつある間、前記ねじ案内の先端が挿入されるべきねじ式固定具を適所に保持するように前記固定具の周りに嵌合し、前記ねじ案内（２６）が前記第２位置にあるときは、前記ねじ案内の先端が前記シャフトの先端を十分に露出するように前記ハンドル前端に向かって後退される、請求項３９に記載の工具（１）。
【請求項４１】
前記第１シャフト縦穴（７６）の一部が、該縦穴に挿入されるドリルビットを保持する際に該保持を支援するように磁化されている、請求項４０に記載の工具（１）。
【請求項４２】
前記第２シャフト縦穴（７８）の一部が、該第２シャフト縦穴に置かれるドリルビットを保持する際に該保持を支援するように磁化されている、請求項４１に記載の工具（１）。
【発明の詳細な説明】
【技術分野】
【０００１】
本発明は、一般にねじ回し（スクリュードライバ）およびそれに類する手持ち工具であって、固定具（アンカー）にして該固定具が取り付けられる面内にねじ込まれて一体とならなければならないタイプの固定具を取り付けるための手持ち工具に関する。さらに詳しくは、本発明は、電動ドリルのチャック内に嵌め込む標準ドリルビットに、特別に形状づけられた工具のハンドルを取り付け、それから工具を駆動するように電動ドリルを用いる、というような使い方もできる、改良された種々の手持ち工具に関する。
【背景技術】
【０００２】
コードレス電動ドリルは、多くの例においては、多くの建設作業が完成される際の効率に顕著な改善をなした。この改善のために、多くの建設業界におけるそれらの使用は、過去１０年から１５年のうちに非常に広く普及するようになった。
【０００３】
さらに、それらの使用は、それらを使用する者に対して、それらがドリルのコードで付近の電源コンセントにつなぐ必要がもはやなくなったという意味で、より移動性が高くなることになった。この高くなった移動性をふまえて、建設作業者は、多数の工具を支持することのできる工具ベルトを作業者のベルトに着用させることにより、作業者が集中工具箱まで頻繁に戻る必要がないという点で、より便利になることもわかっている。
【０００４】
このような工具ベルトは、幅広い組合せのねじ式固定具を取り付けることができるように多数の工具製品を支持する空間を含むことが多い。これらの工具は、種々の手持ち工具（例えば、ねじ回し、ソケット、アレンレンチ）および動力工具（例えば、コードレスドリル、適切なドリルビット）を通常含み、通常の工具ベルトに利用できる収納空間の大部分をこれらが使うことになる。さらに、これら工具どうしのサイズが相違するために、小製品（例えば、ドリルビット）を通常の工具ベルト内で見出すのは困難であり、しばしば紛失する危険性もある。
【０００５】
このような工具ベルトの有用性は、これら工具のいくつかを統合整理する方法があるならば、改善されることができたであろう。この種の考えは、広範囲の固定具に使用されうる多数の交換可能な先端を有する多数の手持ち工具に関する発明を数年に亘って導いてきた。例えば、アンダーソンに付与されたＵＳＮＰ６，３７４，７１１号、「５０−Ｉｎ−１ねじ回しおよびソケット回し」を参照されたい。
【０００６】
さらに、手持ち工具の末端を、動力工具を含めた補助駆動器具の形体部分に取り付けることによって該手持ち工具が駆動されるようにする様々な手持ち工具を設計するために、いくつかの試みがなされた。例えば、タップレンチ用のＵＳＮＰ３，７３８，７６８号、ねじ回し用のＵＳＮＰ２，６２０，００１号およびＵＳＮＰ４，４３７，３６５号、ソケットレンチ用延長部としてのＵＳＮＰ５，９５０，５０７号を参照されたい。
【０００７】
工具ベルトに入れて支持することのできる種々の工具の統合整理に関しては、手持ち工具を動力工具によって駆動されることができるようにするという発想は、非常に魅力的に見える。しかし、この発想の従来技術出願（例えば、ＵＳＮＰ４，４３７，３６５号）は、そのような製品が市場で見られないし、また、建設産業においても使用されていないので、成功していないように見える。コードレスドリルがその用途を拡大されるので、その使用がより魅力的になるように思えるにもかかわらず、現状はこのような有様である。
【０００８】
動力工具によって駆動されることができるようになされた手持ち工具を市場で見ない１つの潜在的な理由は、このような従来の器具がそれらの有用性を大いに減少させる特定の制限を常に持っていたからである。例えば、ＵＳＮＰ２，６２０，００１号の図１に示すようなねじ回しは、動力を使わない手持ち器具によってのみ駆動されるように意図されていて、電動ドリルによってそれを駆動しようとした場合、使用により使用者に潜在的な物理的危険性を与えることがあると言う制限を有している。この危険性というのは、このような器具によって駆動される固定具が、電動ドリルの先端に不整合状態で取り付けられたとき、電動ドリルによって与えられる大きな角回転数によって脇に放り出されるということに由来する。
【０００９】
ＵＳＮＰ４，４３７，３６５号のねじ回しは、このような問題を持っているのである。さらに、電動ドリルによって駆動されるために、このねじ回しは特別のカップリングの使用を必要とする欠点がある。このカップリングの必要性は、結局は使用者がもう一つの付属品を身につけなければならないことを意味する。ＵＳＮＰ４，４３７，３６５号の図２を参照されたい。
【００１０】
さらに、従来器具には非常に万能なものはない。これは、それらが一タイプの固定具のみと共に使えるように設計されていることによる。さらに、それらは固定具を挿入するためにのみ用いられ、取り外すためには用いられない。
【００１１】
このように、従来技術はこのようなものではあるが、さらなる改良を行い、通常の建設作業者が工具ベルトに入れて支持する手持ち工具およびコードレスドリルをより万能かつ有用にする必要があることがわかる。このような改良は、広い範囲で揃えられたねじ式工具の取り付けが改善工具によって効率よく行われるのを援助する一方で、工具ベルトに入れて支持しなければならない製品の数を減らすのに役立つものでなくてはならない。
【発明の開示】
【発明が解決しようとする課題】
【００１２】
本発明の背景がよりよく理解されかつ評価されるために、本発明に関連した従来技術が上記に、むしろ広く要約された。この観点から、本発明の目的および利点を考慮することが有益である。
【００１３】
本発明の目的は、一緒にねじ込まれなければならないか、または固定具が取り付けられるべき表面にねじ込まれなければならないタイプの固定具を取り付ける際に使用する、より効率的かつ安全な工具を提供することにある。
【００１４】
本発明の別の目的は、工具を駆動するために用いられる電動ドリルのチャック内に嵌合する標準ドリルビットに、特別に形成されたハンドルを取り付けることによって作動されることのできる、より効率的かつ安全な手持ち工具を提供することにある。
【００１５】
本発明のさらに別の目的は、コードレスドリルと共に使用し、それによってそのドリルの有用性を増すような、より効率的かつ安全な工具を提供することにある。
本発明のさらに別の目的は、建設作業者の工具ベルトに必要な収納空間を減少し、携帯性を有しつつ、作業者がより効率的に作業することを支援するために優れた貢献をすることができる改良された手持ち工具を提供することにある。
【００１６】
本発明のその他の目的および利点は、添付図面および下記の詳細な記載を参照して本発明への理解が深められたとき、容易に明らかになるであろう。
【課題を解決するための手段】
【００１７】
本発明は概して、上述した要求および従来の問題を解決させるようになされている。
本発明の好適実施例は、手動または自動で操作可能な工具とともに使用される、ねじ式固定具を挿入する工具である。本発明の工具は、細長いハンドルと、ハンドルの両端間に延びるシャフトとを備えている。シャフトの先端はハンドルの前端から延びかつシャフトの末端はハンドルの後端に存在する。シャフトの後端は、シャフトの中心線に沿って延びる縦穴を有する。縦穴は、電動ドリルのチャック内で嵌合するタイプの標準ドリルビットを受けるように形成される。縦穴の深さおよび壁厚は、電動ドリルによって工具に加えられるトルクを吸収するように、ドリルビットに接触する縦穴内部壁が十分な表面領域を有するような深さまでドリルビットを縦穴に入れさせるようになっている。
【００１８】
好適実施例においては、シャフトの先端は、工具使用者が挿入を望むねじ式固定具の１つに付着するように形成される。この固定具はねじ、ボルト、ナット、ソケット付き器具からなるグループから選択されてもよい。
【００１９】
別の好適実施例においては、シャフトの先端は、複数の異なるねじビットの１つを受けるよう形状づけられた縦穴を有し、該ねじビットは工具と共に使用され、ねじビットの頭部形状に一致する頭部形状を有する固定具が挿入される。この実施例は、この縦穴に挿入するのに適した種類のドリルビットを収納するように形状づけられた１またはそれ以上のスロットをハンドルに有していてもよい。
【００２０】
さらに別の好適実施例においては、本発明の工具は細長いハンドルと、ハンドルの軸に沿って延びるシャフトとを備えている。シャフトの両端部はハンドル両端に接近して存在する。このシャフトは前縦穴および後縦穴を有する。後縦穴は、標準ドリルビットを受けるように形状づけられ、前縦穴は、特別のタイプの固定具を駆動するのに用いられるねじ回し頭部を有するタイプのシャフト延長部を受けるように形状づけられる。
【００２１】
別の好適実施例においては、本発明の工具は、細長いハンドルと、ハンドルの後端にてハンドルの軸線上に装着された第１シャフトとを備えている。この第１シャフトは、電動ドリルのチャック内に嵌合するタイプの標準ドリルビットを受けるように形成された縦穴を有する。この工具はまた第２シャフトも有する。この第２シャフトは、ハンドルの中心線上に回転自在に装着され、ハンドルの前端から延びる部分を有する。第１および第２シャフトは、互いに同じ方向にまたは逆の方向に両シャフトを回転させるように作動するクラッチ手段によって接続される。
【００２２】
本発明のその他の実施例は、添付図面および以下の詳細な記載を参照して本発明がよりよく理解されたとき、容易に明らかになるであろう。
【発明を実施するための最良の形態】
【００２３】
好適実施例が示されかつ全体を通じて同様な参照番号は同様な要素を表すこととした図面を参照すれば、図３においては、改良された工具１またはねじ回しの形体をした本発明の実施例の斜視図が示されている。工具１は、従来のコードレス電動ドリル３と共に用いられる標準ねじ回しドリルビット２によって容易に駆動されるように変更されている。
【００２４】
この改良ねじ回し１は、シャフト１０とハンドル１２とを含む。シャフト１０は、先端１４を有し、且つ、ハンドル全体に亘って延びてハンドル後端面１８と一致する末端１６を有する。図３に示す先端１４は、単一溝付きのねじ頭部に係合するように設計された真直な又はナイフ状のエッジ２０を有する。しかし、先端１４は、例えば、様々なタイプのＰＨＩＬＩＰＳヘッドスクリューの交差溝に係合するように意図されたような他の形体を採ってもよいことは理解されるであろう。本発明の様々な実施例によって駆動されうる多様タイプのねじ頭部４の図示例を示す図４を参照されたい。
【００２５】
このねじ回しのハンドル１２には、ハンドルを使用者によって簡便に握られるようにその表面に軸方向に延びる溝２２が設けられている。これらのハンドルは、通常はプラスチックまたはその他の同様な材料からモールド成形される。
【００２６】
シャフト延長部の末端１６は、図４の右側に示すものなどの標準ドリルビット２を受けるように形状づけられた縦穴２４を末端内に有する。この縦穴の深さは、電動ドリルによって加えられる大トルクを変形無しに吸収すべくドリルビット２に接触する縦穴内壁が十分な表面領域を有することができるような深さとされ、その深さまでドリルビットを縦穴に入れさせるようになっている。この縦穴２４内の適所に、ドリルビット（通常は鋼からなり、鉄含有材料である）を保持する際に該保持を支援するために、シャフトの末端１６は磁化され、それによって鉄含有ドリルビットを磁気的に引き付けることができる。シャフトが磁化可能材料からなっているならば、これはシャフトを直接に磁化することによって達成されうる。もしそうでないならば、適切な形状の磁石がシャフト末端１６付近に配置されうる。同様に、シャフト１０の先端１４は、鉄含有ねじまたはその他の固定具をシャフトの先端上に保持する際に該保持を支援するように磁化されうる。
【００２７】
本発明に基づくねじ回しの、この実施例のシャフトは、管状ねじ案内２６を有する。管状ねじ案内２６は、それ自体が静止している一方で、ねじ回し１のシャフトがこのねじ案内２６内で自由に回転できるように、シャフト１０を包囲する。ねじ案内２６は、シャフト１０上で横方向に動かされうる。このねじ案内は、ねじ回し１がドリルによって駆動されるとき、ねじを適所に案内するように用いられる。
【００２８】
このねじ案内２６を使用するために、使用者はねじをシャフト１０の先端１４に置き、次いでねじを包囲するようにねじ案内を前方に滑らせる。次に、使用者はねじ案内２６を静止状態に保持するようにねじ案内２６の外面に手を置き、それによってねじおよびねじ回し１の両方を適所に安定させる。
【００２９】
動力がハンドル末端１６に加えられると、シャフト１０が回転し、ねじがねじ案内２６によって適所に保持されたまま、十分にその所望の位置に固定されるまで前方に駆動される。大トルクおよび高速回転がねじに加えられたとき、近くにいる者にとって脅威となるので、このねじ案内２６は、ねじ回しの先端１４上にある不整合状態のねじがラインから投げ出されて横に飛び出すのを防止する安全目的を果たす。シャフト１０の先端１４が磁化されている場合には、ねじ案内２６の構成材料の選択は、ねじ案内がシャフトの先端１４の磁気特性によって引き付けられないようになされる。
【００３０】
このようなねじ回しのさらなる万能性を支援するために、本発明の別の好適実施例は、上述したものと類似はしているが、多くの多様な端部材またはねじビットの任意の１つを収容できるように形状づけられた先端１４を有するねじ回しからなる。例えば、先端１４がその先端内に六角形縦穴２７を有する場合には、それは図４の右側に示すねじ回しまたはドリルビット５の任意のものを交換可能に収容できる。このようなねじ回しを適所に保持する際に該保持を支援するために、先端１４は磁化される。
【００３１】
種々のねじ回しまたはドリルビット５を保持することを容易にするために、本発明の別の実施例は、前面１７の周囲にスロット１５を持つハンドルを有する。これらのスロット１５は、種々のドライバービットの１つを各スロット内に挿入・収納するように形状づけられる。図６を参照されたい。
【００３２】
ねじ回しとして作動することに加えて、この器具は、シャフト１０の先端１４が種々のタイプのナット、ボルト、またはソケットに嵌合できるように、先端１４を形状づけられることによって、ナットまたは他のタイプのねじ回しとして作動するように容易になされうる。前と同様に、この先端は、固定具を先端に保持する際に該保持を支援するように磁化されうる。この器具と共に使用されうるねじ回し７のタイプのいくつかが図５の右側に示されている。その左側には、それらのねじ回しと共に挿入されうる種々のボルト、ナット、ソケット６等が示されている。
【００３３】
様々な低トルクが付加されることを考慮して、これらの器具は、ハンドル全体に亘って延びる単独シャフトのみから作られないように形成することが望ましい。すなわち、標準ドリルビットを受けるように特別に形状づけられ且つ磁化された縦穴２４を内部に持つ金属インサート２８を、ハンドル１２の端面１８に挿入することが望ましい。図７を参照されたい。
【００３４】
いくつかの特別用途のためには、これらの器具がハンドル１２の末端１６において縦穴２４または雌アダプタを有するよりは、むしろハンドル端面１８から延びる雄シャフト・アダプタ３０を有するように、これらの器具を形状づけることが望ましい。このような実施例においては、このアダプタ３０は、それが標準電気ドリルのチャック内に直接に収容されかつ嵌合するように形状づけられる。図８を参照されたい。
【００３５】
さらに別の用途においては、シャフトがハンドル全体に亘って延びていない別の実施例として本発明を形状づけることが望ましいこともある。この実施例は、特別に形状づけられた雄ポップアウト（飛び出し）・アダプタ３４を収容する縦穴３３を有するインサート３２を備える。図９を参照されたい。インサート３２は、ハンドル１２の外面上の位置４０まで延びる延長部３８にしてアダプタ３４を第１位置と第２位置との間で交代可能にする働きをする延長部３８によって作動するスプリング機構３６を有する。このアダプタは、その第１位置においては、電気ドリルのチャック内に容易に嵌合される。一方、その第２位置すなわち後退位置においては、アダプタは、ねじ式固定具を装着するために電気ドリルの助けを借りずに、自身が器具のハンドルを握って使用することを望む使用者に適したものになる。
【００３６】
複数の先端を交換可能な能力を有するねじ回し器具１の別の好適実施例が、図１０に示される。それは、シャフト４２とハンドル４４とからなる。シャフト４２は、前端４６および後端４８を有する。これらの各々は、特別に形状づけられた縦穴５０、５２を有する。
【００３７】
前述した後端縦穴５２は、図４の右側に示す任意の標準ドリルビット２の端を受けるように形状づけられる。この縦穴５２の深さは、電動ドリルによって加えられる大トルクを変形無しに吸収するよう、ドリルビットと接触する縦穴内部壁が十分な表面領域を有するようになる深さまで、ビットを縦穴に入れさせるようになっている。ドリルビットをこの縦穴５２内で適所に保持する際に該保持を支援するために、シャフトの後端４８は、鉄含有ドリルビットを磁気的に引き付けるように磁化されうる。
【００３８】
前端縦穴５０は、多数の交換可能シャフト延長部５４の１つの後端５６を受けるように形状づけられている。前に述べたのと同じように、この縦穴５０の深さおよび壁厚は、器具によって加えられる予想されたトルクを吸収するように選択される。これらの延長部５４の前端５８および後端５６は、図４に示すものなどの特別タイプのねじまたは固定具を駆動するように用いられる、ねじ回し頭部の形体に合わせて形状づけられる。これらの端は、延長部先端のいずれかに鉄含有ねじまたはその他の固定具を保持する際に該保持を支援するように磁化されることが好ましい。
【００３９】
高トルクが付加されることを考慮して、シャフト延長部５４の一部は、１つまたはそれを超えるリブ６０を有することができる。このような延長部５４と共に使用されるべく、前縦穴５０は、リブ６０を収容するようにして延長部５４を前縦穴５０内に嵌合させるような整合スロット６２を有するように、形状づけられる。
【００４０】
より広い万能性のために、本発明の一つの実施例には、２本に分かれたシャフト、すなわち前シャフト６６および後シャフト６８と、ハンドル７２内のクラッチ機構７０とが設けられている。クラッチ機構７０は、前シャフト６６の先端７４がねじ式固定具を挿入するために正転する、または、ねじ式固定具を抜き出すために逆転する、いずれかの操作モードで回転されるようにする。後シャフト６８は、該後シャフト６８が電気ドリルのビット挿入によって駆動されるように、後端７６に縦穴７６を有する。この後シャフトの前部分は接続端７３を有し、該接続端７３は、前シャフト６６の後部分７５と接続するクラッチ機構７０と接続する。この実施例は、前シャフトの先端７４に存在する縦穴７８にマルチタイプのビットを嵌合させる機能を与えられている。工具と共に使用されうる種々のビットを収納するために、該工具はハンドル７２の前面８２に収納用スロット８０を有する。図１１を参照されたい。
【００４１】
本発明の取扱いおよび操作の仕方に関するこれ以上の解説については、上述の記載から明らかになるであろう。したがって、取扱いおよび操作の仕方に関するこれ以上の解説はなされない。
【００４２】
上記記載に関して、本発明の部品に対する最適寸法関係は、サイズ、材質、形状、形体、機能、操作方法、組立、使用における変動を含めるように、当業者にとっては容易に明白かつ自明であるとみなされ、また、図面に示しかつ明細書に記載されたものに対するすべての均等関係が本発明によって包摂されるように意図されていることが了解されるべきである。
【００４３】
上述したことは、本発明の原理のみの例示として考慮される。さらに、多数の修正および変更は当業者にとっては容易になされるので、図示しかつ記載された正確な構成および動作に本発明を制限することが望まれていない。したがって、すべての適切な修正および均等はここでは特許請求の範囲内に入る。
【図面の簡単な説明】
【００４４】
【図１】無動力補助器具によって末端で操作されうる、ＵＳＰＮ２，６２０，００１号に開示の従来技術のねじ回しの側面図である。
【図２】カップリングに取り付く電気ドリルによって末端で操作されることを可能にするように特別に形成されたカップリングを用いた、ＵＳＰＮ４，４３７，３６５号に開示の従来技術のねじ回しの側面図である。
【図３】改良ねじ回しの形体をした本発明の実施例の斜視図である。
【図４】本発明の種々の実施例によって駆動されうる様々なタイプのねじ頭の例を示す。
【図５】本発明の種々の実施例によって駆動されうる様々なタイプのナット、ボルト、ソケットの例を示す。
【図６】広い分類のねじ式固定具を装着するように交換可能ドリルビットと共に使用されうる本発明の実施例の斜視図である。
【図７】固定具を装着するために比較的低レベルのトルクが要求されるような用途に使用するものとして使用者が選択してもよい本発明に基づく好適実施例のハンドル部分の斜視図である。
【図８】電動ドリルのチャックに挿入可能な雄アダプタとして働くシャフト延長部を有する本発明に基づく好適実施例のハンドル部分の斜視図である。
【図９】工具ハンドルの後端から延長されうる後退可能式雄アダプタを有する本発明に基づく好適実施例の斜視図である。
【図１０】複数の二重用途交代可能ドリルビットを収容する本発明に基づく好適実施例の斜視図である。
【図１１】本器具をねじ式固定具に着脱させるハンドル内のクラッチ機構を有する本発明の好適実施例の斜視図である。
【図１】
2006528087.tif 000003
【図２】
2006528087.tif 000004
【図３】
2006528087.tif 000005
【図４】
2006528087.tif 000006
【図５】
2006528087.tif 000007
【図６】
2006528087.tif 000008
【図７】
2006528087.tif 000009
【図８】
2006528087.tif 000010
【図９】
2006528087.tif 000011
【図１０】
2006528087.tif 000012
【図１１】
2006528087.tif 000013
【国際調査報告】
2006528087.tif 000014
2006528087.tif 000015
2006528087.tif 000016